(57)【特許請求の範囲】
【請求項１】
第１部材と第２部材とを、ヒンジ軸を有する少なくとも１つのヒンジユニットによって相対的に回転自在に連結するものであって、前記第１部材と前記第２部材との間の空間を閉じるカバー手段を備えた回転部材ヒンジ装置において、
前記カバー手段は、前記第１部材と前記第２部材との相対する端縁の切欠き部に収納可能なものであって当該両部材の回転に干渉しないような形状の外周面を有する柱状カバー部材から成ること、および、
前記柱状カバー部材は、前記ヒンジユニットのヒンジ軸を回転用の支軸にして回転自在なるように支持されているとともに前記外周面とは反対側の面で前記ヒンジユニットを介して前記第１部材と第２部材の間に保持されていること、および、
前記ヒンジユニットが前記柱状カバー部材の内面に係合する保持片を備えていること
を特徴とする回転部材ヒンジ装置。
【請求項２】
請求項１に記載の回転部材ヒンジ装置であって、前記保持片は、前記ヒンジユニットのヒンジ筒に一体に形成されていることを特徴とする回転部材ヒンジ装置。
【請求項３】
請求項１または請求項２に記載の回転部材ヒンジ装置であって、前記保持片は、前記第１部材と第２部材との完全開放状態で前記第１部材と第２部材との間の前記空間を閉じる位置に前記柱状カバー部材を位置決めするものであることを特徴とする回転部材ヒンジ装置。
【請求項４】
請求項２または３に記載の回転部材ヒンジ装置であって、前記保持片は、前記柱状カバー部材の開口を通して前記柱状カバー部材内に配置されていることを特徴とする回転部材ヒンジ装置。
【請求項５】
請求項１〜４のいずれかに記載の回転部材ヒンジ装置であって、前記第１部材と前記第２部材の切欠き部及び前記柱状カバー部材の外周面は、円弧状であることを特徴とする回転部材ヒンジ装置。
【発明の詳細な説明】
【技術分野】
【０００１】
本発明は、例えば折り戸の扉板（パネル）の如き隣り合う２つの部材を折畳み自在に連結する回転部材ヒンジ装置に関し、特に、これらの２つの部材が折り畳まれた状態でこれらの部材の間の空間を塞いで指が挟まれるのを防止するカバー手段を備えた回転部材ヒンジ装置の改良に関するものである。
【背景技術】
【０００２】
この種の回転部材ヒンジ装置を備えた１つの従来技術による折り戸が特許文献１に示されている。この折り戸は、２つのパネル部材１ａ、１ｂを折畳み自在に連結するヒンジユニットの２つの揺動部材８、９のヒンジ筒１０、１６がこれらのパネル部材の折畳み時の半円形隙間を埋めるような大きさに形成されており、これらのパネル部材１ａ、１ｂの折畳み時にこれらのパネル部材の間に形成される空間を閉じるカバー手段は、これらのヒンジ筒１０，１６の内面に相対的に回転する心棒７を介して連結される複数のパイプ部材２１から成っている。
【０００３】
しかし、この構造のカバー手段は、ヒンジユニットのヒンジ筒１０、１６を２つのパネル部材の折畳み空間に相応する大きさに形成する必要があるため、ヒンジ筒が大型化し、回転部材の開閉に大きな抵抗が付与される欠点があった。
【０００４】
また、この種の回転部材ヒンジ装置を備えた他の従来技術による折り戸が特許文献２に示されている。この折り戸のカバー手段は、２つのパネル部材４、５の隙間を覆うようにこれらのパネル部材４、５の間に配置されたカバー１１と、このカバー１１の内面に取り付けられたカバー保持部材１３と、このカバー保持部材１３の案内孔１４に摺動自在に係入するスライドピン１９を有し両パネル部材４、５の相対する連結端部に取り付けられたスライダーとから成っている。このカバー１１は、パネル部材４、５の開閉に伴ってスライドピン１９が案内孔１４に沿って移動してカバー１１が常に両パネル部材４、５の隙間を覆うようにしている。
【０００５】
この特許文献２のカバー手段は、両パネル部材４、５の間の隙間は覆われるので、この隙間に指が差し込まれることはないが、折り戸の開閉の途中で両パネル部材４、５とカバー１１との間に指を噛みこむ虞がある隙間が生じる虞があった（同文献の図２、図３参照）。
【０００６】
【特許文献１】実用新案登録第２５４７９１８号公報
【特許文献２】特開平８−１３９３３号公報
【発明の開示】
【発明が解決しようとする課題】
【０００７】
本発明が解決しようとする課題は、カバー手段によってヒンジユニットのヒンジ筒を大型化することがなく、回転部材の開閉を円滑に行うことができ、また回転部材とカバー部材との間で指を差し込むことがないようにした回転部材ヒンジ装置を提供することにある。
【課題を解決するための手段】
【０００８】
本発明に係る回転部材ヒンジ装置は、その課題解決手段として下記のような内容を特徴とする。すなわち、
第１部材と第２部材とを、ヒンジ軸を有する少なくとも１つのヒンジユニットによって相対的に回転自在に連結するものであって、前記第１部材と前記第２部材との間の空間を閉じるカバー手段を備えた回転部材ヒンジ装置において、
前記カバー手段は、前記第１部材と前記第２部材との相対する端縁の切欠き部に収納可能なものであって当該両部材の回転に干渉しないような形状の外周面を有する柱状カバー部材から成ること、および、
前記柱状カバー部材は、前記ヒンジユニットのヒンジ軸を回転用の支軸にして回転自在なるように支持されているとともに前記外周面とは反対側の面で前記ヒンジユニットを介して前記第１部材と第２部材の間に保持されていること、および、
前記ヒンジユニットが前記柱状カバー部材の内面に係合する保持片を備えていること
を特徴とする。
【０００９】
本発明の課題解決手段において、ヒンジユニットの保持片は、ヒンジユニットのヒンジ筒に一体に形成されているのが望ましい。
【００１０】
また、保持片は、第１部材と第２部材との完全開放状態で第１部材と第２部材との間の空間を閉じる位置にカバー部材を位置決めするものとすることができる。
【００１１】
更に、保持片は、柱状カバー部材の開口を通して柱状カバー部材内に配置されているのが好ましい。
【００１２】
本発明の課題解決手段において、第１部材と第２部材の切欠き部及び柱状カバー部材の外周面は、円弧状であるのが好ましい。
【発明の効果】
【００１３】
本発明によれば、カバー部材は、ヒンジユニットのヒンジ筒に保持されるのではなく、通常の形態のヒンジユニットを介して回転部材に保持されるので、ヒンジユニットのヒンジ筒は、特別に大型化する必要はなく、回転部材の開閉を円滑に行うことができる。
【００１４】
また、カバー部材は、回転部材の開閉のいずれの過程でも回転部材との間に指を差し込むような隙間が生ずることはなく、回転部材を常に安全に開閉することができる。
【発明を実施するための最良の形態】
【００１５】
本発明の回転部材ヒンジ装置（以下の実施の形態では回転部材が折畳み自在であるので、以下、これを折畳み部材ヒンジ装置という）を折り戸に適用した例を図面を参照して詳細に述べると、図１は、本発明が対象とする折畳み部材ヒンジ装置１０を備えた折り戸１を示し、図示の形態では、上下のスライドレール２Ｕ、２Ｄに摺動自在に係入されている滑走車３Ｕ、３Ｄを有する第１と第２のパネル部材（第１部材、第２部材）４、５から成り、これらのパネル部材４、５は、本発明の折畳み部材ヒンジ装置１０によって折畳み自在に連結されている。
【００１６】
折畳み部材ヒンジ装置１０は、図２及び図３に示すように、第１パネル部材４と第２パネル部材５とを折畳み自在に連結する少なくとも１つのヒンジユニット２０と、第１パネル部材４と第２パネル部材５との間の空間を閉じるカバー手段３０とから成っている。
【００１７】
図示の形態では、上下の２つのヒンジユニット２０を備えており、これらのヒンジユニット２０は、中間ヒンジ筒２２Ｍに一体の第１の羽根２４Ａと両端ヒンジ筒２２Ｅに一体の第２の羽根２４Ｂとから成り、これらのヒンジ筒２２Ｍ、２２Ｅは、ヒンジ軸２６に回転自在に支持されている。なお、ヒンジ軸２６は、上下のヒンジユニットに共通して用いられるとともに、後に述べるカバー手段３０のカバー部材の回転の支持軸としても機能するように第１パネル部材４及び第２パネル部材５の全長にわたって延びており、両端ヒンジ筒２２Ｅから突出する部分をヒンジ軸支持具２８Ｕ、２８Ｄによってカバー部材に支持される。
【００１８】
カバー手段３０は、図３に詳細に示すように、第１パネル部材４と第２パネル部材５の相対する端縁の円弧状切欠き部４Ｎ、５Ｎに相応する円弧状外周面３２Ｐを有する中空の柱状カバー部材３２から成り、この柱状カバー部材３２は、第１パネル部材４と第２パネル部材５との開閉時にこれらの部材４、５の開閉に追従してこれらの部材４、５に対して相対的に回転するように円弧状外周面３２Ｐとは反対側の平坦壁面３２Ｆでヒンジユニット２０を介して第１パネル部材４と第２パネル部材５の間に保持されている。
【００１９】
更に詳細に述べると、柱状カバー部材３２は、円弧状外周面３２Ｐと平坦壁面３２Ｆとで断面かまぼこ型の中空体から成っており、平坦壁面３２Ｆは、羽根２４Ａ、２４Ｂが係入する切欠き３２Ｎとヒンジ軸２６の横断面の一半部が係入する軸係入溝３２Ｇと切欠き３２Ｎに対応して開口３２Ｍを有する。図３に示すように、第１パネル部材４及び第２パネル部材５は、ヒンジユニット取り付け位置に羽根２４Ａ、２４Ｂが係入して羽根２４Ａ、２４Ｂの内面（取り付け面とは反対側の面）が第１パネル部材４、第２パネル部材５の内面にほぼ一致するように羽根係入へこみ４Ｒ、５Ｒを有する。従って、ヒンジユニット２０は、図４（Ａ）に示すように、その内面が第１パネル部材４及び第２パネル部材５の内面に一致するようにしてこれらのパネル部材４，５に取り付けられ、またカバー部材３２は、ヒンジユニット２０のヒンジ軸２６に回転自在に支持されることになる。なお、図３において、符号３２Ｃは、中空の柱状カバー部材３２の上下の開口端を閉じるキャップである。
【００２０】
カバー手段３０は、図４に示すように、第１パネル部材４と第２パネル部材５との開閉に伴って変位するヒンジユニット２０の羽根２４Ａ、２４Ｂに追従して柱状カバー部材３２が常に第１パネル部材４と第２パネル部材５との間の空間を閉じるように保持するカバー保持部３４を含み、このカバー保持部３４は、柱状カバー部材３２の内面に向けて移動するように第１パネル部材４と第２パネル部材５との開閉に追従して変位する保持片３６から成っている。図示の形態では、この保持片３６は、ヒンジユニットの中間ヒンジ筒２２Ｍと２つの両端ヒンジ筒２２Ｅのいずれか一方（又は両方でもよい）に一体に形成されている。
【００２１】
図４から解るように、この保持片３６は、羽根２４Ａ、２４Ｂに対して直角となるように相応するヒンジ筒２２Ｍ、２２Ｅに一体に形成されている（符号３６Ａ、３６Ｂ参照）。このように構成すると、図４（Ｄ）に示すように、第１パネル部材４と第２パネル部材５との完全開放状態では、保持片３６Ａ、３６Ｂが柱状カバー部材３２の内面両側に係合して第１パネル部材４と第２パネル部材５との間の空間Ｓを閉じる位置に柱状カバー部材３２を位置決めする。
【００２２】
次に、図示の形態の折畳み部材ヒンジ装置１０の用いた折り戸１の開閉動作を図４を参照して述べると、折り戸１が完全に閉じている状態（図４（Ａ）参照）では、折畳み部材ヒンジ装置１０のカバー手段３０のカバー部材３２は、その円弧状外周面３２Ｐが第１パネル部材４の切欠き４Ｎと第２パネル部材５の切欠き５Ｎとの円弧状内面に対応するようにこれらのパネル部材４、５の間の空間Ｓ内に納められている。
【００２３】
この状態から折り戸１の第１パネル部材４と第２パネル部材５とが折り畳まれるように開き、これらのパネル部材４、５が略直角になった開閉中間状態を図４（Ｃ）に示す。カバー部材３２は、第１パネル部材４と第２パネル部材５の両方に回転自在に保持されているので、第１パネル部材４と第２パネル部材５とが折り畳まれるように開いても、カバー部材３２は、そのままの位置（図４（Ａ）の位置と同じ位置）を保持している。なお、図４（Ｃ）の開閉中間状態から誤って手でカバー部材３２を回転方向に押すような外力がカバー部材３２に付与されてカバー部材３２が回転するようなことがあっても（図４（Ｂ）参照）、両羽根２４Ａ、２４Ｂに一体の保持片３６Ａ、３６Ｂが柱状カバー部材３２の内面のいずれかの側に係合して空間Ｓを閉じたままとなっているので、空間Ｓ内に指等が入ることがない。
【００２４】
この図４（Ｃ）に示す位置では、カバー部材３２は、２つのパネル部材４、５の切欠き内の空間Ｓの対称となっている中間位置であり、この位置からパネル部材４、５を更に開いて図４（Ｄ）に示す完全開放位置（完全折畳み位置）に達するが、その間、カバー部材３２は、空間Ｓ内で対称位置が維持されたままであり、空間Ｓを閉じ続けることができる。
【００２５】
最後に、２つのパネル部材４、５が完全に開いた完全折畳み位置に達すると、両羽根２４Ａ、２４Ｂに一体の保持片３６Ａ、３６Ｂは、図４（Ｄ）に示すように、柱状カバー部材３２の内面の両側に係合してカバー部材３２が空間Ｓを閉じる対称位置に位置決めされる。
【００２６】
図４（Ｄ）の完全開放（折畳み）位置から２つのパネル部材４、５を順次閉じると、図４（Ｃ）の位置を経て、図４（Ａ）の完全閉じ位置（展開位置）に戻る。図４（Ｃ）の位置にあるとき、前述したように、カバー部材３２が外力により回転するようなことがあっても（図４（Ｂ）参照）、両羽根２４Ａ、２４Ｂに一体の保持片３６Ａ、３６Ｂが柱状カバー部材３２の内面のいずれかの側に係合して空間Ｓが閉じられたままであるので、空間Ｓ内に指等が入ることがない。そして、図４（Ａ)に示すように、その平坦壁面３２Ｆが羽根２４Ａ、２４Ｂにほぼ一致し、円弧状外周面３２Ｐがパネル部材４、５の円弧状切欠き４Ｎ、５Ｎに一致するように、２つのパネル部材４、５の空間Ｓ内に納まる。
【００２７】
上記の実施の形態では、柱状カバー部材３２は、ヒンジユニット２０のヒンジ軸２６に回転自在に支持されているが、ヒンジユニット２０のヒンジ軸２６と別個のヒンジ軸に回転自在に支持されていてもよい。また、上記の実施の形態は２つのパネル部材４、５が回転する折り戸であるが、通常の扉のように２つのパネル部材４、５の一方が固定し、他方が回転するものでもよい。例えば、パネル部材４を固定し、パネル部材５をパネル部材４に対して回転可能にした場合は、図４（Ａ）に示す完全に閉じている状態から図４（Ｂ）に相応するような状態（図４（Ｂ）を反時計方向に４５°変位した状態）となり、この状態までは柱状カバー部材３２は動かない。図４（Ｂ）に相応するような状態からパネル部材５をさらに開くと、保持片３６Ｂが柱状カバー部材３２の内面を押して、パネル部材５と柱状カバー部材３２が連動する。そして図４（Ｄ）に相応するような状態で２つのパネル部材４、５が完全に開いた完全折畳み位置に達する。
【００２８】
また、上記実施の形態では、第１部材４と第２部材５の切欠き部４Ｎ、５Ｎ及び柱状カバー部材３２の外周面３２Ｐは、円弧状であるが、カバー部材３２が第１部材４と第２部材５の相対する端縁の切欠き部４Ｎ、５Ｎに収納されることができ、且つ第１部材４及び第２部材５の回転に干渉することがなければ、第１部材４及び第２部材５の切欠き部４Ｎ、５Ｎ及びカバー部材３２の外周面３２Ｐは、円弧状以外の形状であってもよい。
【００２９】
更に、上記実施の形態では、カバー部材３２は、ヒンジ軸２６に回転自在に支持されているが、ヒンジユニット２０以外の位置でヒンジ軸２６に固定してもよい。このようにすると、図４（Ｃ）の状態でカバー部材３２に外力が加えられても、カバー部材３２は、図４（Ｃ）の状態から図４（Ｂ）の状態に変位することがない。従って、この場合には、保持片３６Ａ、３６Ｂは不要である。
【産業上の利用可能性】
【００３０】
本発明によれば、カバー部材は、ヒンジユニットのヒンジ筒に保持されるのではなく、通常の形態のヒンジユニットを介して回転部材に保持されるので、ヒンジユニットのヒンジ筒は、特別に大型化する必要はなく、また回転部材の開閉のいずれの過程でも回転部材との間に指を差し込むような隙間が生ずることはなく、回転部材を常に安全に開閉することができ、産業上の利用性が大きい。
【図面の簡単な説明】
【００３１】
【図１】本発明の折畳み部材ヒンジ装置を用いた折り戸の半開き状態の斜視図である。
【図２】図１の折り戸の開閉状態を示し、同図（Ａ）は、完全開放状態の斜視図、同図（Ｂ）は、完全閉じ状態の外側から見た斜視図、同図（Ｃ）は、同図（Ｂ）の反対側（内側）から見た斜視図である。
【図３】本発明の１つの実施形態による折畳み部材ヒンジ装置の分解斜視図である。
【図４】図３の折畳み部材ヒンジ装置を用いた折り戸のヒンジ部分を示し、同図（Ａ）は、折り戸の完全閉じ状態の水平断面図、同図（Ｂ）は、折り戸の第１パネル部材と第２パネル部材とを相互に直角になる位置まで開き、カバー部材３２が外力により回転変位した状態の水平断面図、同図（Ｃ）は、折り戸の第１パネル部材と第２パネル部材とを相互に直角になる位置まで開いた開閉中間状態の水平断面図、同図（Ｄ）は、折り戸が完全に開いた状態の水平断面図である。
【符号の説明】
【００３２】
１    折り戸
２Ｕ、２Ｄ    上下のスライドレール
３Ｕ、３Ｄ    キャスター
４    第１パネル部材
５    第２パネル部材
４Ｎ、５Ｎ    円弧状切欠き部
４Ｒ、５Ｒ    へこみ
１０    折畳み部材ヒンジ装置
２０    ヒンジユニット
２２Ｍ  中間ヒンジ筒
２２Ｅ  両端ヒンジ筒
２４Ａ  第１の羽根
２４Ｂ  第２の羽根
２６    ヒンジ軸
２８Ｕ、２８Ｄ    ヒンジ軸支持具
３０    カバー手段
３２    カバー部材
３２Ｐ  円弧状外周面
３２Ｆ  平坦壁面
３２Ｎ  切欠き
３２Ｇ  軸係入溝
３２Ｍ  開口
３２Ｃ  キャップ
３４    カバー保持部
３６、３６Ａ、３６Ｂ  保持片
Ｓ    空間
【図１】
0005312840.tif 000002
【図２】
0005312840.tif 000003
【図３】
0005312840.tif 000004
【図４】
0005312840.tif 000005